(57)【要約】【課題】外部にアンテナを設けることなく信号発信装置から発信される電磁波信号を良好な感度で受信することができ、的確な音声案内を行うことができる触知音声案内装置を提供する。【解決手段】点字により表された情報を有する触知板（２）と、該触知板内の前記点字（Ｔ）により表された情報に関連する所定の情報を格納した情報格納手段（制御装置Ｓ）と、該情報を音声出力する音声再生手段（制御装置Ｓおよびスピーカ４０）と、電源供給手段（電源コード４００）とを少なくとも備え、前記音声再生手段は、視覚障害者等が携行する信号発信装置から発信される電磁波信号を受信する受信手段（受信ユニット３０１、アンテナ５０）と、受信した電磁波信号に基づいて前記所定の音声情報を再生出力する再生制御手段（制御装置Ｃ）を備え、前記各手段は、電磁波の透過性を有し且つ上面を前記触知板で塞がれた筒状の筐体（筒状体１）の内部に収納するように構成した。【選択図】　図２
0003097727.tif 000002
【実用新案登録請求の範囲】
【請求項１】
点字により表された情報を有する触知板と、該触知板内の前記点字により表された情報に関連する所定の情報を格納した情報格納手段と、該情報を音声出力する音声再生手段と、電源供給手段と、を少なくとも備え、
前記音声再生手段は、視覚障害者等が携行する信号発信装置から発信される電磁波信号を受信する受信手段と、受信した電磁波信号に基づいて前記所定の音声情報を再生出力する再生制御手段を備え、
前記各手段は、電磁波透過性を有し且つ上面を前記触知板で塞がれた筒状の筐体の内部に収納されていることを特徴とする触知音声案内装置。
【請求項２】
前記筒状の筐体は、陶磁器あるいはセラミックで形成されていることを特徴とする請求項１に記載の触知音声案内装置。
【請求項３】
前記触知板は、陶磁器あるいはセラミックで形成されていることを特徴とする請求項１または請求項２に記載の触知音声案内装置。
【請求項４】
前記触知板には、所定地域の道路、施設、建物等の位置の空間情報および点字による情報を標した地図が刻設されていることを特徴とする請求項１から請求項３の何れかに記載の触知音声案内装置。
【請求項５】
前記触知板の地図上の前記点字の近傍にはスイッチ手段が設けられ、当該スイッチ手段の操作により前記点字により表された情報に関連する所定の情報が前記音声再生手段により出力されるように構成されていることを特徴とする請求項１から請求項４の何れかに記載の触知音声案内装置。
【請求項６】
前記点字情報は一定の方向に沿って表示され、
前記触知板は、前記点字情報の下端が手前に傾斜した状態で前記筒状体の上部に設置されていることを特徴とする請求項１から請求項５の何れかに記載の触知音声案内装置。
【請求項７】
前記筒状の筐体の底面に、埋設用の支柱部を有することを特徴とする請求項１から請求項６の何れかに記載の触知音声案内装置。
【考案の詳細な説明】
【０００１】
【考案の属する技術分野】
本考案は、道路や公園、建物などの敷地の境界において車止手段あるいは仕切手段等として立設される柱状の触知板であって、特に視覚障害者を対象として触知板による点字情報と音声による情報とを提供可能な触知音声案内装置に関する。
【０００２】
【従来の技術】
近年、社会福祉の向上を目指し、視覚障害者や高齢者にも住み易い街づくりが各地で推進されている。その一環として、道路に道案内用の点字ブロックや点字パネルを敷設したり、駅の券売機の付近に駅名や運賃等を点字を標した触知板を設けるなどされている。
【０００３】
また、役所や郵便局、あるいは空港や鉄道の駅などの公共施設においては、それら施設内に設けられた例えばトイレやレストラン等の位置を視覚障害者等が容易に知得することができるように、それら諸設備や部屋の入り口の位置あるいは行き方を音声により説明する案内装置（音声案内装置）が普及しつつある。
【０００４】
また、特定の微弱電波を間欠的に発信する視覚障害者が携帯可能な送信装置（例えば、カード型の送信機）と、音声案内装置内に、送信装置から発せられた信号を受信する受信装置を設け、視覚障害者がスイッチを操作することなく自動的に音声案内が行われるようにした無線式の音声誘導触知案内装置も開発されている。この音声誘導触知案内装置は、例えば送信装置を携帯した視覚障害者等が音声案内装置に対して所定距離（例えば５ｍ）以内に近づくと、送信装置からの特定の微弱電波を受信装置が受信し、その信号に基づいて所定の音声案内が出力されるようになっている。
【０００５】
【考案が解決しようとする課題】
ところで、上述のような音声誘導触知案内装置は、屋外に配設されることが多いので、耐候性を高めるために、受信装置等の電子機器を収納する柱状あるいはボラード型の筐体をアルミ板やステンレス鋼板を用い、折り曲げ加工等を施して形成するのが一般的であった。
【０００６】
しかしながら、アルミ板やステンレス鋼板等で形成した筐体は、風雨等に対する耐候性に富む反面、上述のような送信装置から送信されて来る電磁波信号を遮断したり吸収してしまい、受信装置の感度が低下するという不都合がある。筐体による電磁波の遮断や吸収を避けて良好な感度を得るためには、筐体外部にアンテナを設置するという方策もあるが、人通りが多いような場所に音声誘導触知案内装置を設置する場合には外部に突設されたアンテナが通行人の衣服等に引っかかって通行の妨げとなる虞があった。また、アンテナ自体を折られたり曲げられたりする悪戯を受ける危険性もある。
【０００７】
本考案は、上記事情に鑑みてなされたもので、外部にアンテナを設けることなく信号発信装置から発信される電磁波信号を良好な感度で受信することができ、的確な音声案内を行うことができる触知音声案内装置を提供することを目的とする。
【０００８】
【課題を解決するための手段】
上記目的を達成するため本考案は、点字により表された情報を有する触知板（２）と、該触知板内の前記点字（Ｔ）により表された情報に関連する所定の情報を格納した情報格納手段（制御装置Ｓ）と、該情報を音声出力する音声再生手段（制御装置Ｓおよびスピーカ４０）と、電源供給手段（電源コード４００）とを少なくとも備え、前記音声再生手段は、視覚障害者等が携行する信号発信装置から発信される電磁波信号を受信する受信手段（受信ユニット３０１、アンテナ５０）と、受信した電磁波信号に基づいて前記所定の音声情報を再生出力する再生制御手段（制御装置Ｃ）を備え、前記各手段は、電磁波透過性を有し且つ上面を前記触知板で塞がれた筒状の筐体（筒状体１）の内部に収納されるようにした。
【０００９】
これにより、外部にアンテナを設けることなく、受信手段は良好な感度で信号発信装置から発信される電磁波信号を受信することができ、的確に音声案内を行うことができる。
【００１０】
また、前記筒状の筐体は、陶磁器あるいはセラミックで形成することが望ましい。これにより、耐候性と良好な電磁波透過性を兼ね備えた筐体を容易に形成することができ、受信手段は良好な感度で信号発信装置から発信される電磁波信号を受信することができるようになる。
【００１１】
また、前記触知板は、陶磁器あるいはセラミックで形成されるようにするとよい。これにより、耐候性や耐久性を高めることができると共に、触知板を電磁波信号が透過するようになり、受信手段による受信状態を一層改善することができる。
【００１２】
また、前記触知板には、所定地域の道路、施設、建物等の位置の空間情報および点字による情報を標した地図が刻設されるようにし、地図上の施設等の方角は実際と一致するように設置されるようにするとよい。これにより、上記音声案内と併せて点字の触感により位置等の情報を正確に認識することができる。
【００１３】
また、前記触知板の地図上の前記点字の近傍にはスイッチ手段が設けられ、当該スイッチ手段の操作により前記点字により表された情報に関連する所定の情報が前記音声再生手段により出力されるように構成する。これにより、所望の情報のみを素早く取得することができる。
【００１４】
また、前記点字情報は一定の方向に沿って表示され、前記触知板は、前記点字情報の下端が手前に傾斜した状態で前記筒状体の上部に設置されるようにするとよい。これにより、視覚障害者等が触知板の上下を間違え難く且つ点字を読み取り易くなり、触知板上の地図に表されている施設等の方向を正確に把握できるようになる。さらに、雨水が触知板の傾斜に沿って流れ落ちるので、触知板上に雨水が溜まるのを防ぐことができる。
【００１５】
【考案の実施の形態】
以下に、本考案に係る触知音声案内装置の実施形態を図面を参照して説明する。
図１は本実施形態に係る触知音声案内装置の外観を示す斜視図、図２はその触知音声案内装置の正面の一部断面図、図３はその側面図、図４は触知板の構成例を示す平面図、図５は触知音声案内装置の制御装置の概略構成を示すブロック図である。
【００１６】
図１において、触知音声案内装置Ｓは、筒状体１とその筒状体１の上面を塞ぐ触知板２からなる筐体内に後述する受信装置等を含む制御装置Ｃを収納して構成されている。
筒状体１は、陶磁器あるいはセラミックにより、底部１ａを有する中空の円筒状に焼成して形成される。これにより、陶磁器あるいはセラミックは電磁波を透過するので、後述する制御装置Ｃで構成される受信装置は良好な感度で図示しない信号発信装置から発信される電磁波信号を受信することができ、送信装置を携帯した視覚障害者等が音声案内装置に対して所定距離（例えば５ｍ）以内に近づいた場合に的確に音声案内を行うことができる。
【００１７】
また、外部に受信用のアンテナを設ける必要がなくなるので、アンテナの突出部が通行人に引っかかって通行の妨げとなる事態を回避することができ、またアンテナの折り曲げ等の悪戯を受ける虞もなくなる。
また、筒状体１の底部１ａの底面には、地中に埋設されて筒状体１を立設させる埋設支柱部３が設けられている。したがって、道路の脇や所定の敷地において、この埋設支柱部３を地面に埋め込むように設置することにより、触知音声案内装置Ｓを安定に固設することができる。
【００１８】
図１および図２に示すように、筒状体１の正面の上方には、内部に取り付けられたスピーカ４０からの音声を流すための複数の通気孔Ｈが開口されている。
また、筒状体１の側方の下方には、触知板２の接合部や通気孔Ｈから筒状体１内に侵入した雨水を外部に排出するドレイン口４ａおよび排水を容易にする空気孔４ｂが形成されている。これにより、筒状体１内に侵入した雨水はドレイン口４ａから排出されるので、溜まった雨水の腐敗や、制御装置Ｃの腐食等を防止することができる。なお、制御装置Ｃは耐食性を備えた水密ケースに収容されることが望ましい。
【００１９】
筒状体１内の所定位置には、音声出力手段としてのスピーカ４０と、視覚障害者等が携行する信号発信装置から発信された電磁波信号を受信するアンテナ５０が収納され、配線コード１００ａと１００ｃを介して制御装置Ｃと接続されている。
【００２０】
また、筒状体１の開口部の上端には正面側に傾斜した傾斜部１ｂが形成され、触知板２が取り付けられている。触知板２は、例えば陶磁器やセラミック等の電磁波を透過する材料で成型され、その表面には図４に示すような点字を施した地図Ｍが描かれている。触知板２は傾斜して取り付けられるため、視覚障害者等が触知板２の上下を間違え難く且つ点字を読み取り易くなり、また、雨水が傾斜に沿って流れるので、触知板２上に雨水が溜まるのを防ぐことができる。また、触知板２が電磁波を透過するため受信装置による受信状態を一層改善することができる。また、触知板２を陶磁器やセラミックで構成することにより、耐候性や耐久性を高めることができる。
【００２１】
図４に示すように、触知板２の地図Ｍには、例えば当該触知音声案内装置Ｓを立設した位置を示す記号（△マーク）ｍ１と、その近郊の道路を表す模様ｍ２と、その道路に沿った主な施設への方向（例えば、…駅方向、…通り方向、…市役所方向、…神社方向など）を記した矢印ｍ３と、近隣の主な施設や建物（例えば、レストラン、交番、公衆トイレ、図書館など）を表す絵柄ｍ４や文字（文字は、点字Ｔでも良いし、ひらがな，カタカナ，アルファベット等を凹凸で触知可能に表してもよい）が描かれている。
【００２２】
さらに、上記各絵、文字および点字Ｔの近傍位置には、押しボタンスイッチＳＷ（ＳＷ１〜ＳＷ１０）が配設されており、各スイッチを操作することにより、その各絵、文字および点字Ｔに関する情報がスピーカ４０より音声出力されるようになっている。即ち、例えば「レストラン」の点字近傍にあるスイッチＳＷ２を操作した場合には「レストラン……は、正面の横断歩道を渡って左側１０ｍのところに有ります。」などの音声情報を出力する。また、スイッチＳＷ１を操作した場合には「直進道路は、……駅方向です。……駅までは徒歩５分です。」などの音声情報を出力する。
【００２３】
また、上記スイッチＳＷが操作された場合以外でも、視覚障害者等が携行する信号発信装置から発信された所定の電磁波信号を受信した時点で、所定の音声情報の出力を開始するようになっている。例えば、「ここに触知板があります。どうぞご利用ください。」とか、「この近隣には、レストラン……、……交番、公衆トイレ、……図書館があります。より詳しい情報は触知板のスイッチを操作してください。」というメッセージを音声出力させるようになっている。これにより、視覚障害者等は触知板の存在を知ることができ、また近隣の施設や建物の情報の概要を把握することができる。
なお、触知音声案内装置Ｓが設けられる位置に応じて、触知板２に描かれる地図Ｍの内容および音声情報の内容が適宜変更されることはいうまでもない。
【００２４】
次に、図５のブロック図を参照して筒状体１内に収納される制御装置Ｃの構成について説明する。
図５において、制御装置Ｃは、合成音声の生成等を行う音声コントローラ３００と、視覚障害者等が携行する信号発信装置から発信された電磁波信号を受信した際に受信検出信号を音声コントローラ３００に対して出力する受信ユニット３０１とを備えている。この音声コントローラ３００と受信ユニット３０１には、漏電ブレーカ３０２および変圧トランス３０２を介して電源が供給されるようになっている。なお、電源ＡＣ１００Ｖは、図２および図３に示すように地中に埋設される電源コード４００を介して供給されるようにするとよい。
【００２５】
受信ユニット３０１には、配線コード１００ｃを介してアンテナ５０が接続されている。
音声コントローラ３００には、音声情報や制御プログラム等を格納した不揮発性のメモリとしてのＲＯＭ３００ａ、音声の合成や各種制御を司るＣＰＵ３００ｂ等が内蔵されている。また、音声コントローラ３００には、配線コード１００ａ，１００ｂを介して、スピーカ４０および押しボタンスイッチＳＷ１〜ＳＷ１０が接続されている。
【００２６】
ここで、上記構成の制御装置Ｃの動作について説明する。
まず、受信ユニット３０１が視覚障害者等が携行する信号発信装置から発信された電磁波信号を受信すると、受信検出信号を音声コントローラ３００に出力する。その受信検出信号に基づいて音声コントローラ３００は、ＣＰＵ３０２の制御により所定の音声情報をＲＯＭ３０１から読み出し、ＣＰＵ３０２で合成音声を生成して、例えば「ここに触知板があります。どうぞご利用ください。」等のメッセージをスピーカ４０から出力する。
【００２７】
そして、視覚障害者等により触知板２の押しボタンスイッチＳＷ１〜１０が操作されるとＣＰＵ３０２の制御によりスイッチＳＷに対応した音声情報をＲＯＭ３０１から読み出し、ＣＰＵ３０２で合成音声を生成して例えば「レストラン……は、正面の横断歩道を渡って左側１０ｍのところに有ります。」などの音声情報を出力する。これにより、視覚障害者等は所望の施設や建物の情報を音声で容易に得ることができる。さらに、触知板２に触れることにより点字による情報をも得ることができる。
【００２８】
また、本実施形態に係る触知音声案内装置Ｓは、従来から車止めや仕切として設置されているボラードに置き換えて設置することもできるので、新たに設置場所を探す必要がなく、歩道や街中の各所に点在させることにより視覚障害者等の屋外活動の利便性を高めることができる。
【００２９】
なお、本考案は、上記実施形態に限られるものではなく、様々な変更が可能である。例えば、本実施形態では埋設支柱部３を設けて、その埋設支柱部３を地中に埋設して設置する場合について述べたが、これに限らず例えば、触知音声案内装置Ｓの設置位置にコンクリート等で基礎を形成し、その基礎上に筒状体１の下端をボルト等で固定するようにしてもよい。
【００３０】
また、電源については商用電源のＡＣ１００Ｖを用いるほか、太陽電池や風力発電装置を触知音声案内装置Ｓ自体あるいは触知音声案内装置Ｓの近傍に設けて得るようにしてもよい。
また、本実施形態では、筒状体１を円筒形にする場合について述べたが、これに限らず、断面形状が四角形や三角形など任意の形状とすることができる。
【００３１】
【考案の効果】
本考案によれば、道路脇や所定の敷地に立設される触知音声案内装置であって、点字により表された情報を有する触知板と、該触知板内の前記点字により表された情報に関連する所定の情報を格納した情報格納手段と、該情報を音声出力する音声再生手段と、電源供給手段とを少なくとも備え、前記音声再生手段は、視覚障害者等が携行する信号発信装置から発信される電磁波信号を受信する受信手段と、受信した電磁波信号に基づいて前記所定の音声情報を再生出力する再生制御手段を備え、前記各手段は、電磁波の透過性を有し且つ上面を前記触知板で塞がれた筒状の筐体の内部に収納するようにしたので、外部にアンテナを設けることなく、受信手段は良好な感度で信号発信装置から発信される電磁波信号を受信することができ、的確に音声案内を行うことができるという効果がある。
【図面の簡単な説明】
【図１】本考案に係る触知音声案内装置の実施形態の外観を示す斜視図である。
【図２】本実施形態に係る触知音声案内装置の正面の一部断面図である。
【図３】本実施形態に係る触知音声案内装置の側面図である。
【図４】触知板の構成例を示す平面図である。
【図５】本実施形態に係る触知音声案内装置の制御装置の概略構成を示すブロック図である。
【符号の説明】
Ｓ　　触知音声案内装置
Ｃ　　制御装置
１　　筒状体
１ａ　底部
２　　触知板
３　　埋設支柱部
Ｈ　　通気孔
４ａ　ドレイン口
４ｂ　空気孔
４０　スピーカ
５０　アンテナ
１００ａ〜ｃ　配線コード
Ｍ　地図
Ｔ　点字
ＳＷ１〜１０　押しボタンスイッチ
３００　　音声コントローラ
３００ａ　ＲＯＭ
３００ｂ　ＣＰＵ
３０１　　受信ユニット
４００　　電源コード
【図１】
0003097727.tif 000003
【図２】
0003097727.tif 000004
【図３】
0003097727.tif 000005
【図４】
0003097727.tif 000006
【図５】
0003097727.tif 000007